(57)【要約】【課題】側板に、棚部材を取付けるための加工を施す必要がなく、かつ、棚部材を単位収納庫の幅寸法と近い幅寸法で製造した場合でも、棚部材を単位収納庫に容易に収納することができる、収納家具を提供する。【解決手段】ロッカー１は、一つの筐体の内部を板材で仕切って複数の収納空間Ｓを設け、それぞれの収納空間Ｓの前面開口部を開き扉３で開閉する構造の単位収納庫２を複数設け、単位収納庫２の内部には、棚板部２５と棚板部２５の両端部にそれぞれ連結される脚部２６と、を備える棚部材２４が収容され、棚部材２４は、棚板部２５とそれぞれの脚部２６とに分割可能に構成される。【選択図】図５
2020081732.tif 000002
【特許請求の範囲】
【請求項１】
一つの筐体の内部を板材で仕切って複数の収納空間を設け、それぞれの収納空間の前面開口部を扉で開閉する構造の単位収納庫を複数設けた収納家具において、
前記単位収納庫の内部には、棚板部と、該棚板部の両端部にそれぞれ連結される脚部と、を備える棚部材が収容され、
前記棚部材は、前記棚板部とそれぞれの前記脚部とに分割可能に構成される、収納家具。
【請求項２】
前記前面開口部の幅寸法は、前記収納空間の幅寸法よりも小さく形成される、請求項１に記載の収納家具。
【請求項３】
前記脚部の下端部に係合突起が形成され、前記単位収納庫の前記底板に被係合孔が開口され、
前記係合突起が前記被係合孔と係合することにより、前記脚部が前記底板に固定される、請求項１又は請求項２に記載の収納家具。
【請求項４】
前記棚板部の上面に係合突起挿入孔が形成され、
上段の前記棚部材における前記係合突起が、下段の前記棚部材における前記係合突起挿入孔に挿入されることにより、複数の前記棚部材が積層して収容可能とされる、請求項３に記載の収納家具。
【請求項５】
前記脚部の上端部は、他の脚部の下端部と連結可能に構成される、請求項１から請求項４の何れか１項に記載の収納家具。
【発明の詳細な説明】
【技術分野】
【０００１】
本発明は収納家具に関し、詳細には収納家具の利便性を向上させる技術に関するものである。
【背景技術】
【０００２】
従来、一つの筐体の内部を板材で仕切って複数の収納空間を設け、それぞれの収納空間の前側開口部を開き扉で開閉する構造の単位収納庫を複数設けた収納家具が用いられている（例えば、特許文献１及び特許文献２を参照）。また、収納家具に棚を設ける手法としては、側板に係止孔を設け、係止孔に棚板を支持するための支持部材を取り付ける構造等が一般的に用いられている（例えば、特許文献３を参照）。
【先行技術文献】
【特許文献】
【０００３】
【特許文献１】特開２００２−２９００８３号公報
【特許文献２】特開２００２−２１９０２７号公報
【特許文献３】実開平１−１２８６２６号公報
【発明の概要】
【発明が解決しようとする課題】
【０００４】
上記の特許文献１又は特許文献２に記載の収納家具において、特許文献３に記載の構造を用いて棚を設けようとすると、側板に支持部材を取付けるために、部材追加や部品加工が必要となる。この場合、収納家具の製造コストが嵩む上、収納空間内部の体裁（外観上や突起物や孔等で収納物が引っ掛かる等）が悪くなる。
【０００５】
そこで、例えば、正面視下向きコ字状やロ字状の棚部材を、収納空間を構成する底板に載置する構成が考えられる。しかし、スチール製収納家具の場合、側板の縁部を折り曲げ加工しており、前面開口部の幅寸法が、収納空間の幅寸法よりも小さく形成されていることが多い。このため、収納空間の幅寸法と略同じ寸法の棚部材を設置する際、棚部材を斜めにして挿入する必要がある。このため、棚部材の下部（脚部）が干渉して設置しづらく、また、収納空間の高さと棚の高さとの関係等、棚部材を設置するための制約が大きい。
【０００６】
本発明は以上の如き状況に鑑みてなされたものであり、本発明が解決しようとする課題は、側板に、棚部材を取付けるための加工を施す必要がなく、かつ、棚部材を単位収納庫の幅寸法と近い幅寸法で製造した場合でも、棚部材を単位収納庫に容易に収納することができる、収納家具を提供することである。
【課題を解決するための手段】
【０００７】
本発明は、上記課題を解決するために、以下に構成する収納家具を提供する。
【０００８】
（１）一つの筐体の内部を板材で仕切って複数の収納空間を設け、それぞれの収納空間の前面開口部を扉で開閉する構造の単位収納庫を複数設けた収納家具において、前記単位収納庫の内部には、棚板部と、該棚板部の両端部にそれぞれ連結される脚部と、を備える棚部材が収容され、前記棚部材は、前記棚板部とそれぞれの前記脚部とに分割可能に構成される、収納家具。
【０００９】
（２）前記前面開口部の幅寸法は、前記収納空間の幅寸法よりも小さく形成される、（１）に記載の収納家具。
【００１０】
（３）前記脚部の下端部に係合突起が形成され、前記単位収納庫の前記底板に被係合孔が開口され、前記係合突起が前記被係合孔と係合することにより、前記脚部が前記底板に固定される、（１）又は（２）に記載の収納家具。
【００１１】
（４）前記棚板部の上面に係合突起挿入孔が形成され、上段の前記棚部材における前記係合突起が、下段の前記棚部材における前記係合突起挿入孔に挿入されることにより、複数の前記棚部材が積層して収容可能とされる、（３）に記載の収納家具。
【００１２】
（５）前記脚部の上端部は、他の脚部の下端部と連結可能に構成される、（１）から（４）の何れか一に記載の収納家具。
【発明の効果】
【００１３】
以上における本発明に係る収納家具は、以下に示す効果を奏する。
【００１４】
（１）の構成によれば、側板に、棚部材を取付けるための加工を施す必要がなく、かつ、棚部材を単位収納庫の幅寸法と近い幅寸法で製造した場合でも、棚部材を単位収納庫に容易に収納することができる。
【００１５】
（２）の構成によれば、棚部材を前面開口部に容易に挿通することができる。
【００１６】
（３）の構成によれば、棚部材を単位収納庫に容易に固定できる。
【００１７】
（４）の構成によれば、棚部材を積層して使用することが可能となる。
【００１８】
（５）の構成によれば、脚部を連結して棚部材を構成することが可能となる。
【図面の簡単な説明】
【００１９】
【図１】本発明の一実施形態に係る収納家具を示す斜視図。
【図２】単位収納庫の内部構造を示す分解図。
【図３】単位収納庫の内部構造を示す平面図。
【図４】単位収納庫の内部構造を示す内側面図。
【図５】棚部材を示す斜視図。
【図６】棚部材の連結構造を示す斜視図。
【図７】棚部材と底板との組付構造を示す斜視図。
【図８】（ａ）及び（ｂ）は棚部材の固定手順を示す正面図。
【図９】（ａ）から（ｃ）は棚部材と底板との係合状態を示す平面図。
【図１０】棚部材を積み重ねる手順を示す斜視図。
【図１１】積み重ねた状態の棚部材を示す斜視図。
【図１２】脚部を連結して棚部材を構成する手順を示す斜視図。
【図１３】脚部を連結した状態の棚部材を示す斜視図。
【発明を実施するための形態】
【００２０】
図１から図１３を用いて、本発明に係る収納家具の一実施形態であるロッカー１について説明する。以下では、ロッカー１に対向する使用者の視点によりロッカー１の左右方向を規定する。即ち、ロッカー１に対向する使用者の右側（図１における右上側）をロッカー１における右側方とする。また、ロッカー１における使用者側（図１における右下側）をロッカー１の前方とする。
【００２１】
本実施形態に係るロッカー１は、単位収納庫２を複数備えた多段式のパーソナルロッカーとして構成されている。即ち、ロッカー１は、例えばオフィス内でロッカー１を使用する複数の使用者ごとに、書類、書籍、及び、携帯電話やモバイルコンピュータ等などを内部に収容して保管するために用いられる。
【００２２】
図１から図４に示す如く、ロッカー１は、天板１１、ベース部材１２、側板１３、及び背板１４で形成される一つの筐体の内部を板材で仕切ることにより、複数の収納空間Ｓが形成される。ロッカー１には、それぞれの収納空間Ｓの前側開口部を開き扉３で開閉する構造の単位収納庫２が複数個設けられる。
【００２３】
本実施形態に係るロッカー１においては、側板１３の一形態である内側板１３ｉで筐体を左右方向に仕切ることにより、単位収納庫２が左右方向に二個隣接して配置される。また、ロッカー１は筐体を底板１５で上下方向に仕切ることにより、単位収納庫２が上下方向に三段に重ねて配置される。即ち、ロッカー１には図１に示す如く合計六個の単位収納庫２が形成される。それぞれの単位収納庫２の構成は配置箇所を除いて同様に構成される。以下では、図１及び図２に示す如く、左上に配置される単位収納庫２の構成を中心に説明する。
【００２４】
なお、本発明に係る収納家具は、一つの筐体の内部を少なくとも板材（本実施形態における内側板１３ｉ及び底板１５）で仕切って複数の収納空間を設ける構成であれば良く、単位収納庫を一段又は一例で構成しても差し支えない。また、ロッカー１における単位収納庫２の個数は本実施形態に限定されるものではなく、左右方向に三個以上で並べたり、上下方向に四段以上で重ねたりしても差し支えない。
【００２５】
本実施形態に係るロッカー１において、筐体を構成する部材（天板１１、ベース部材１２、側板１３、及び、背板１４）、開き扉３、筐体の内部を仕切る内側板１３ｉ、底板１５等の板材は、スチール製の板金を適宜折り曲げることにより構成されている。なお、後述する他の部材である棚部材２４、ペントレイ２２、扉トレイ２３等は樹脂製部材で構成される。
【００２６】
開き扉３は、開き扉３の吊元側に設けられる上下二個のヒンジ４を介して筐体に組付けられる。詳細には図２に示す如く、ヒンジ４は開き扉３に固定されるヒンジ本体４ａと、筐体に固定される固定板４ｂとで構成される。底板１５の前側には前框部１６が設けられ、天板１１及び前框部１６のそれぞれの前面に固定板４ｂが固定される。そして、二個のヒンジ本体４ａが二枚の固定板４ｂに対してそれぞれ回動可能に連結されることにより、単位収納庫２において開き扉３が開閉可能に組付けられる。
【００２７】
本実施形態に係るロッカー１において、それぞれの単位収納庫２には開き扉３が同じ方向に開くように設けられる。具体的には図１に示すごとく、全ての開き扉３は右側に設けられた吊元がヒンジ４により筐体に連結されている。即ち、ロッカー１は、使用者が開き扉３を上面視で反時計回りに回動させることにより単位収納庫２が開き、開き扉３を上面視で時計回りに回動させることにより単位収納庫２が閉じるように構成されている。
【００２８】
開き扉３の戸先側端部における上下方向中央部には、ダイヤル式のロック部材５が設けられる。本実施形態に係るロッカー１において、ロック部材５にはダイヤル錠が採用されているが、ロック部材としてシリンダ錠、プッシュボタン錠、又は、ＩＣカード錠を採用することも可能である。ロック部材５にはラッチ６が設けられる。開き扉３が単位収納庫２を閉塞する際には、ラッチ６は側板１３の前側端部に固定されたラッチ受部材７と係合する。
【００２９】
開き扉３の上部には、左右に長手方向を有する長孔である貫通溝３ａが開き扉３を貫通して開口されている。単位収納庫２において開き扉３が閉塞されている際には、この貫通溝３ａを介して郵便物や書類等を収納空間Ｓの内部に投入することができる。貫通溝３ａから投入された郵便物等は、開き扉３の後面（収納空間Ｓ側の面）に設けられた扉トレイ２３の内側に落下する。単位収納庫２の使用者は、開き扉３を開いてから扉トレイ２３の内部にある郵便物等を取り出すことができる。
【００３０】
図１から図４に示す如く、単位収納庫２の内部には左右方向に長い長方形状のペントレイ２２が設けられる。詳細には図２に示す如く、底板１５における開口部側（前側）には、単位収納庫２の収納空間Ｓと、単位収納庫２の下方に位置する空間（本実施形態においては、直下の単位収納庫２の収納空間）と、を連通する孔部１５ｃが開口されている。そして、図１に示す如く、底面が下方に膨出するペントレイ２２が孔部１５ｃに挿入される。
【００３１】
ペントレイ２２は孔部１５ｃに嵌め殺しにより固定されており、容易に取り外すことができないように構成されている。即ち、使用者がペントレイ２２を取り外して上下に重なる他の単位収納庫２の内部を視認することができないように構成されている。
【００３２】
図１から図６に示す如く、本実施形態に係るロッカー１において、単位収納庫２の内側板１３ｉ（側板１３）における開き扉３の吊元近傍に、単位収納庫２の内側に面する、電源供給用の接続ユニット３０が設けられている。本実施形態において、全ての開き扉３は右側の吊元がヒンジ４により筐体に連結されているため、接続ユニット３０は単位収納庫２において右側に位置する内側板１３ｉ又は側板１３に設けられる。より詳細には、左側に位置する単位収納庫２では、接続ユニット３０は内側板１３ｉに設けられる。一方、右側に位置する単位収納庫２では、接続ユニット３０は右側の側板１３に設けられる（図３を参照）。
【００３３】
なお、開き扉３の吊元と接続ユニット３０との両方を、単位収納庫２における左側に配置する構成とすることも可能である。この場合、左側に位置する単位収納庫２では、接続ユニット３０は左側の側板１３に設けられる。一方、右側に位置する単位収納庫２では、接続ユニット３０は左側の内側板１３ｉに設けられる。
【００３４】
接続ユニット３０は、板金を折り曲げて形成した中空形状のケース部３１と、ケース部３１に固定される接続部であるコンセント３２とで構成される。コンセント３２は図示しないねじによりケース部３１に固定される。コンセント３２からは配線３３が延出される（図４を参照）。
【００３５】
本実施形態において、接続ユニット３０の接続部は電源供給用のコンセント３２として構成されているが、接続部に例えばＵＳＢ端子のコネクタを設けることにより、接続ユニット３０を情報通信用として構成することも可能である。また、接続部にコンセント３２とコネクタの両方を設けることにより、接続ユニット３０を電源供給用及び情報通信用として構成することもできる。
【００３６】
図２に示す如く、ケース部３１は板金を折り曲げて構成した略筒状の部材である。本実施形態において、ケース部３１は長手方向に直交する断面視で略Ｃ字状に形成されているが、ケース部３１として筒状の部材を採用することも可能である。即ち、ケース部３１は内部に空間を有する中空形状であれば良く、その具体的形状は限定されるものではない。
【００３７】
ケース部３１の下端部には係合爪３１ａが折り曲げられて形成されている。また、ケース部３１の短手方向の端部には、コンセント３２が表出する側と反対の部分には、図示しない磁石が接着された折り返し部３１ｂが形成されている。
【００３８】
また、図２に示す如く、単位収納庫２の底板１５における開き扉３の吊元近傍には、単位収納庫２と単位収納庫２の下方に位置する空間（本実施形態においては、直下の単位収納庫２の収納空間）とを連通する貫通孔１５ａが開口されている。そして、ケース部３１を内側板１３ｉに固定する際には、貫通孔１５ａに係合爪３１ａを係合させた状態で、磁石を内側板１３ｉに吸着させるのである。このように、ケース部３１は貫通孔１５ａの上側で上下方向に沿って設けられる。
【００３９】
図１、図３、及び、図４に示す如く、単位収納庫２における収納空間Ｓの内部後方には棚部材２４が収容される（図２では棚部材２４の図示を省略している）。図３及び図８（ｂ）に示す如く、棚部材２４は単位収納庫２の幅寸法と近い幅寸法で形成される。これにより、棚部材２４が単位収納庫２の内部で移動することにより生じるがたつきを防止している。本実施形態における棚部材２４は図５に示す如く、棚板部２５と、棚板部２５の左右両側に連結される二枚の脚部２６と、で構成されており、図６に示す如く棚板部２５と脚部２６とに分割可能とされている。
【００４０】
図５に示す如く、二枚の脚部２６は棚板部２５の左右両側に連結される。本実施形態において、二枚の脚部２６は同形状に形成されている。これにより、何れの脚部２６についても同様に、棚板部２５の両側のどちらにも組付け可能とされる。図６に示す如く、棚板部２５の下面における左右両側には、前後二箇所に被係合部２５ａ、前端部に被挿入孔２５ｂ、前後方向中央部に被挿入溝２５ｃがそれぞれ形成されている。被係合部２５ａは内部に棒状体が形成されている。また、脚部２６の上端部には、前後二箇所に係合部２６ａ、前端部に挿入突起２６ｂ、前後方向中央部に挿入片２６ｃがそれぞれ形成されている。係合部２６ａは二枚一組の係合片で構成されている。
【００４１】
脚部２６を棚板部２５に連結する際には図６に示す如く、挿入突起２６ｂを被挿入孔２５ｂに、挿入片２６ｃを被挿入溝２５ｃにそれぞれ挿入すると同時に、係合部２６ａを被係合部２５ａと係合させる。詳細には、係合部２６ａにおける二枚の係合片が被係合部２５ａの棒状体を挟み込むことにより、係合部２６ａと被係合部２５ａとが係合する。これにより、図５に示す如く棚板部２５と脚部２６とが連結する。
【００４２】
棚板部２５と脚部２６とが連結した状態において、係合部２６ａと被係合部２５ａとは上下方向に数ｍｍ程度の相対変位が可能な状態で係合している。このため、棚板部２５と脚部２６とが連結状態にあっても、係合部２６ａの基端部（根元）側の面である脚部２６の上面と棚板部２５の下面との間に小さな間隙を形成することができる。このため、棚板部２５と脚部２６とは連結状態であっても、相対的な若干の回動変位が許容されている（図８（ａ）を参照）。
【００４３】
図１及び図４に示す如く、棚部材２４は底板１５に固定される。詳細には図７に示す如く、脚部２６の下端部には、前後二箇所に係合突起２６ｄ、二つの係合突起２６ｄの間に弾性突起２６ｅがそれぞれ形成されている。係合突起２６ｄは後方に向かって折り曲げて形成されている。また、弾性突起２６ｅは下方に突出するとともに、上方に弾性変形可能に構成されている。一方、底板１５における左右両端部には、前後二箇所に被係合孔１５ｂ、二つの被係合孔１５ｂの間に固定孔１５ｄがそれぞれ開口されている。
【００４４】
棚部材２４を底板１５に固定する際には図７及び図９（ａ）〜（ｃ）に示す如く、それぞれの係合突起２６ｄを被係合孔１５ｂに挿入した状態で脚部２６を後方に変位させる。図９に示す如く、それぞれの被係合孔１５ｂは、係合突起２６ｄを案内しやすいように前部が内側に幅広く形成されている。係合突起２６ｄが後方に変位することにより、係合突起２６ｄは被係合孔１５ｂと係合し、脚部２６は上下方向の変位が規制される。同時に、弾性突起２６ｅが固定孔１５ｄに挿入され、脚部２６の前後方向の変位が規制される。これにより、脚部２６が底板１５に固定されるため、棚部材２４は単位収納庫２の内部で固定される。
【００４５】
本実施形態においては、脚部２６を後方に変位させて係合突起２６ｄと被係合孔１５ｂとが係合した状態において、棚板部２５の後端と背板１４とが軽く接する、又は、クリアランスが僅かに形成されるように設定している（図３及び図４を参照）。このように、ロッカー１は、棚部材２４を前方から後方に向けてスライド変位させることにより、上下方向の変位を確実に規制しつつ、棚板部２５と背板１４とを接近させている。これにより、ロッカー１においては、棚板部２５の後方から物が落ちるような間隙が棚板部２５の背後に生じないように構成される。
【００４６】
また、本実施形態に係るロッカー１においては図３及び図４に示す如く、棚部材２４の前側には接続ユニット３０が隣接して固定される。より具体的には図３及び図４に示す如く、接続ユニット３０は縦長形状に形成されるとともに、棚部材２４の前端から内側板１３ｉの前端の折曲部との間の空間において、長手方向を上下方向に向けて固定される。これにより、棚部材２４は接続ユニット３０に規制されて前方へ変位不能となるため、脚部２６が前方に変位することを防止できる。即ち、本実施形態においては係合突起２６ｄと被係合孔１５ｂとの係合を解除され難くすることにより、底板１５から棚部材２４を外れ難く構成している。
【００４７】
脚部２６を底板１５から取り外す場合は、底板１５の下方から固定孔１５ｄを介して弾性突起２６ｅを押し上げる。そして、弾性突起２６ｅを上方に弾性変形させて前後方向の規制を解除した状態で、脚部２６を前方に変位させる。これにより、係合突起２６ｄと被係合孔１５ｂとの係合が解除され、脚部２６を上方に持ち上げることが可能となる。
【００４８】
図１１に示す如く、棚部材２４は二個以上積層して配置することも可能である。詳細には図１０に示す如く、棚板部２５の上面における左右両端部には、前後二箇所に係合突起挿入孔２５ｄ、二つの係合突起挿入孔２５ｄの間に弾性突起挿入孔２５ｅがそれぞれ開口されている。図１０に示す如く、それぞれの係合突起２６ｄを係合突起挿入孔２５ｄに挿入し、弾性突起２６ｅを弾性突起挿入孔２５ｅに挿入することにより、棚部材２４が積層して配置される。
【００４９】
図１３に示す如く、棚部材２４は二枚の脚部２６を連結して構成することも可能である。詳細には図１２に示す如く、脚部２６の下端部には、前後二箇所に被係合部２６ｆ、前端部に被挿入孔２６ｇ、前後方向中央部に被挿入溝２６ｈがそれぞれ形成されている。被係合部２６ｆは内部に棒状体が形成されている。
【００５０】
二枚の脚部２６を互いに連結する際には図１２に示す如く、挿入突起２６ｂを被挿入孔２６ｇに、挿入片２６ｃを被挿入溝２６ｈにそれぞれ挿入すると同時に、係合部２６ａを被係合部２６ｆと係合させる。詳細には、係合部２６ａにおける二枚の係合片が被係合部２６ｆの棒状体を挟み込むことにより、係合部２６ａと被係合部２５ａとが係合する。これにより、図１３に示す如く二枚の脚部２６を連結した棚部材２４が形成される。
【００５１】
上記の如く、本実施形態に係るロッカー１において、単位収納庫２の内部に棚部材２４が収容され、棚部材２４は、棚板部２５とそれぞれの脚部２６とに分割可能に構成されている。これにより、図３及び図８（ｂ）に示す如く棚部材２４を単位収納庫２の幅寸法と近い幅寸法で製造した場合でも、上記の如く棚板部２５と脚部２６との相対的な回動変位が許容されているため、棚部材２４を傾けて収容する際に、棚板部２５と脚部２６との相対角度を変化させることができる。具体的には図８（ａ）に示す如く、棚板部２５を傾けた際に下側に位置する脚部２６と棚板部２５との相対角度を大きくして、上側に位置する脚部２６と棚板部２５との相対角度を小さくすることにより、棚部材２４の幅寸法を小さくすることができる。このため、単位収納庫２の内部に棚部材２４を収容する際の入れやすさを向上させることが可能となる。
【００５２】
上記の如く、本実施形態に係るロッカー１においては、棚部材２４を単位収納庫２に収容する際に、棚板部２５と脚部２６との相対角度を変化させて棚部材２４の形状を変えることができるため、単位収納庫２の前面開口部等に引っかかることなく棚部材２４を単位収納庫２に収容することが可能となる。また、例えば棚板部と脚部とが一体であった場合には一つしか挿入できない大きさの前面開口部であっても、本実施形態においては棚板部２５と脚部２６とを分割した構成とすることにより、二段以上の棚部材２４を設置することが可能となる
【００５３】
また、本実施形態においては図８（ｂ）に示す如く、棚板部２５の外形状は正面視で見たときに、下窄みで傾斜する（下側の幅寸法が上側の幅寸法よりも若干小さい）ように形成している。これにより、図８（ａ）に示す如く棚板部２５を傾斜させた際に、外形状を矩形で形成した場合よりも幅寸法を小さくして、単位収納庫２の内部に棚部材２４を入れやすくしている。
【００５４】
また、本実施形態に係るロッカー１においては、棚部材２４を設けるために側板１３及び内側板１３ｉに部材の追加や部品の加工を行う必要がないため、ロッカー１の製造コストを抑制することができ、また、収納空間Ｓの内部の体裁悪化を防止できる。即ち、ロッカー１によれば、側板１３及び内側板１３ｉに、棚部材２４を取付けるための加工を施す必要がなく、かつ、棚部材２４を単位収納庫２の幅寸法と近い幅寸法で製造した場合でも、棚部材２４を単位収納庫２に容易に収納することが可能となる。
【００５５】
このように、ロッカー１によれば、棚部材２４を単位収納庫２に容易に収納することができるため、作業者の作業負担を低減することが可能となる。なお、棚板部２５と脚部２６とを分割した状態で単位収納庫２に収容し、単位収納庫２の内部で棚部材２４を組み立てる構成とすることも可能である。
【００５６】
なお、本実施形態においては、単位収納庫２の前面開口部の寸法と、棚部材２４（脚部２６）の高さ寸法との関係は、棚板部２５と脚部２６とを連結した状態で棚部材２４を二個まで傾けて収容でき、棚部材２４を三段以上に積み重ねる際には、棚板部２５と脚部２６とを別々に入れて単位収納庫２の内部で組み立てることにより収容できるように設定されている（図８（ａ）及び（ｂ）を参照）。また、前面開口部の寸法と棚部材２４の寸法の関係により、単位収納庫２に収容可能な棚部材２４の段数は変化するが、棚板部２５と脚部２６とを連結した状態では一つも棚部材２４を収容できない空間でも、棚板部２５と脚部２６とを分割することにより棚部材２４を収容することが可能となる。
【００５７】
この際、それぞれの被係合孔１５ｂは図９に示す如く前側が幅広く形成されているため、係合突起２６ｄを被係合孔１５ｂに容易に案内することができる。詳細には、脚部２６が傾いており、図９に示す如く脚部２６の下端部が少し内側に位置する場合でも、係合突起２６ｄを被係合孔１５ｂに挿入することができる。そして、脚部２６を後方に変位させることにより、被係合孔１５ｂが係合突起２６ｄを外側に案内する。これにより、脚部２６を底板１５に組付けた際には、脚部２６を底板１５に対して直立させることができる。
【００５８】
また、本実施形態に係るロッカー１においては図８（ｂ）に示す如く、側板１３等の前端部が折り曲げて形成されているため、前面開口部の幅寸法Ｌｏが収納空間Ｓの幅寸法Ｌｓよりも小さく形成されている。この場合でも、図８（ａ）に示す如く棚部材２４を棚板部２５と脚部２６との相対角度を変化させた状態で単位収納庫２に収容することができる。即ち、収納空間Ｓよりも幅寸法の狭い前面開口部であっても、棚部材２４を容易に挿通することができ、作業負担を低減することができる。
【００５９】
また、本実施形態に係るロッカー１においては、脚部２６の下端部に係合突起２６ｄが形成され、底板１５に被係合孔１５ｂが開口されている。そして、図７に示す如く係合突起２６ｄが被係合孔１５ｂと係合することにより、脚部２６が底板１５に固定される。このように、係合突起２６ｄと被係合孔１５ｂによって脚部２６と底板１５とを連結する構成とすることにより、別途工具等を必要とせずに棚部材２４を単位収納庫２に容易に固定することが可能となる。
【００６０】
また、本実施形態に係るロッカー１においては、棚板部２５の上面に係合突起挿入孔２５ｄが形成されている。そして、図１０に示す如く上段の棚部材２４における係合突起２６ｄが、下段の棚部材２４における係合突起挿入孔２５ｄに挿入されることにより、複数の棚部材２４が積層して収容可能とされる。このように、本実施形態においては棚板部２５の上面に脚部２６の下端部を載置可能とすることにより、図１１に示す如く棚部材２４を積層して使用することが可能となる。なお、上段の棚部材２４における係合突起２６ｄと、下段の棚部材２４における係合突起挿入孔２５ｄとは、ほぼ同形状で、かつ、同じ位置関係で配置されている。このため、図１１に示す如く棚部材２４を積層した場合、二つの棚部材２４は前後左右方向の相対変位が規制され、互いに位置決めがなされる。
【００６１】
なお、棚部材２４を積層する際には、上段の棚部材２４のうち、脚部２６のみを下段の棚部材２４に連結した後で、上段の棚板部２５を脚部２６に連結する構成とすることもできる。これにより、棚板部２５と脚部２６とを別々に入れて単位収納庫２の内部で組み立てないと複数個の棚部材２４を収容できない場合であっても、単位収納庫２の内部で棚部材２４を積層することが可能となる。
【００６２】
なお、変形例として、上段の棚部材２４における脚部２６を下段の棚部材２４における棚板部２５に係合するように構成しても良い。具体的には、棚板部２５の上面に、係合突起２６ｄと係合可能な被係合部を形成し、係合突起２６ｄ（又は、別途構成した係合部）と被係合部とを係合させることにより、複数の棚板部２４を積層するのである。このように構成することにより、上段の棚部材２４における脚部２６のみを下段の棚部材２４に連結して自立させ、その後に上段の棚板部２５を上方から嵌めることで組み立てることができる。なお、係合突起２６ｄ（係合部）と被係合部との係合手段は、底板１５に対する係合と同じスライド係合でも、上下方向で嵌合させるような方式でも良い。
【００６３】
上記の如く、棚部材２４を複数個積層して単位収納庫２に収容する場合、単位収納庫２において棚部材２４が占める空間が大きくなる。このため、一個の棚部材２４を収容する場合と比較して、棚部材２４の収納作業がより難くなる。しかし、本実施形態に係るロッカー１においては、上記の如く棚板部２５と脚部２６との相対角度を変化させた状態で単位収納庫２に収容することができる。このため、棚部材２４を複数個積層して単位収納庫２に収容する場合であっても、棚部材２４を単位収納庫２に容易に収納することができる。即ち、このような作業の容易性は、棚部材２４を複数個積層して単位収納庫２に収容する際に、より顕著な効果を発揮することができる。
【００６４】
また、本実施形態に係るロッカー１において、二枚の脚部２６は図１２に示す如く、挿入突起２６ｂを被挿入孔２６ｇに、挿入片２６ｃを被挿入溝２６ｈにそれぞれ挿入すると同時に、係合部２６ａを被係合部２６ｆと係合させることができる。これにより、脚部２６の上端部は、他の脚部２６の下端部と連結可能に構成される。本実施形態においては上記の如く構成することにより、図１３に示す如く脚部２６を連結して棚部材２４を構成することが可能となる。即ち、棚部材２４の内部空間（棚板部２５の下方の空間）を大きくして、比較的高さの大きい物を収容する場合でも、容易に棚部材２４の高さを調整することができる。
【符号の説明】
【００６５】
１    ロッカー（収納家具）         ２    単位収納庫             
３    開き扉                       ３ａ  貫通溝                 
４    ヒンジ                       ４ａ  ヒンジ本体             
４ｂ  固定板                       ５    ロック部材             
６    ラッチ                       ７    ラッチ受部材           
１１    天板                       １２    ベース部材             
１３    側板                       １３ｉ  内側板                 
１４    背板                       １５    底板                   
１５ａ  貫通孔                     １５ｂ  被係合孔               
１５ｃ  孔部                       １５ｄ  固定孔                 
１６    前框部                     ２２    ペントレイ             
２３    扉トレイ                   ２４    棚部材                 
２５    棚板部                     ２５ａ  被係合部               
２５ｂ  被挿入孔                   ２５ｃ  被挿入溝               
２５ｄ  係合突起挿入孔             ２５ｅ  弾性突起挿入孔         
２６    脚部                       ２６ａ  係合部          
２６ｂ  挿入突起                   ２６ｃ  挿入片                 
２６ｄ  係合突起                   ２６ｅ  弾性突起               
２６ｆ  被係合部                   ２６ｇ  被挿入孔               
２６ｈ  被挿入溝                   ３０    接続ユニット           
３１    ケース部                   ３１ａ  係合爪                 
３１ｂ  折り返し部                 ３１ｄ  固定孔                 
３２    コンセント（接続部）       ３３    配線                   
Ｓ    収納空間                
【図１】
2020081732.tif 000003
【図２】
2020081732.tif 000004
【図３】
2020081732.tif 000005
【図４】
2020081732.tif 000006
【図５】
2020081732.tif 000007
【図６】
2020081732.tif 000008
【図７】
2020081732.tif 000009
【図８】
2020081732.tif 000010
【図９】
2020081732.tif 000011
【図１０】
2020081732.tif 000012
【図１１】
2020081732.tif 000013
【図１２】
2020081732.tif 000014
【図１３】
2020081732.tif 000015